(57)【要約】【課題】電子素子のリード線と圧接端子との圧接状態の信頼性を向上させる。【解決手段】一対の圧接刃４１と該一対の圧接刃４１によって形成されて電子素子３から延在するリード線３１を導き入れるスリット４３とを有する圧接端子４０にリード線３１を圧接するに当たり、一対の圧接刃４１の各々に圧接される一対の圧接面３１ａまでのリード辺長Ｗ１がスリット４３のスリット幅Ｗ２よりも大きくなるように多角柱状に形成されているリード線３１のスリット４３への圧接を補助する圧接補助部材であって、スリット４３から連続する補助スリット５２を、リード辺長Ｗ１よりも大きな幅、かつ、圧接刃４１と該圧接刃４１に対応する圧接面３１ａとを圧接する予め定められたスリット４３に対するリード線３１の圧入方向Ｘによってリード線３１をスリット４３に進入させるように形成する一対の補助片５１を有していることを特徴とする。【選択図】図１
2006185693.tif 000002
【特許請求の範囲】
【請求項１】
互いに向かい合うように平行に並べられた一対の圧接刃と、該一対の圧接刃によって形成されて電子素子から延在する導電性金属からなるリード線を導き入れるスリットと、を有する圧接端子に前記リード線を圧接するに当たり、前記一対の圧接刃の各々に圧接される一対の平行に相対する圧接面までのリード辺長が前記スリットのスリット幅よりも大きくなるように多角柱状に形成されている前記リード線の前記スリットへの圧接を補助する圧接補助部材であって、
前記スリットから連続する補助スリットを、前記リード辺長よりも大きな幅、かつ、前記圧接刃と該圧接刃に対応する前記圧接面とを圧接する予め定められた前記スリットに対する前記リード線の圧入方向によって前記リード線を前記スリットに進入させるように形成する一対の補助片を有している
ことを特徴とする圧接補助部材。
【請求項２】
前記一対の補助片が、正多角柱状に形成されてる前記リード線の対角幅よりも小さな幅となるように前記補助スリットを形成するようにした
ことを特徴とする請求項１に記載の圧接補助部材。
【請求項３】
前記補助片が、前記圧接端子のスリットと前記補助スリットが連続するように前記圧接端子及び前記電子素子を収容するケース部材に形成されている
ことを特徴とする請求項１又は２に記載の圧接補助部材。
【発明の詳細な説明】
【技術分野】
【０００１】
本発明は、圧接補助部材に監視、より詳細には、互いに向かい合うように平行に並べられた一対の圧接刃と、該一対の圧接刃によって形成されて電子素子から延在する導電性金属からなるリード線を導き入れるスリットと、を有する圧接端子に前記リード線を圧接するに当たり、前記一対の圧接刃の各々に圧接される一対の圧接面までのリード辺長が前記スリットのスリット幅よりも大きくなるように多角柱状に形成されている前記リード線の前記スリットへの圧接を補助する圧接補助部材に関するものである。
【背景技術】
【０００２】
発光ダイオード（ＬＥＤ）を光源として用いた車両用灯具としては、ハイマウントストップランプ（ランプ）が知られている。このランプは、リアスポイラ内、ルーフ上、後部室内等に設置されてブレーキ操作時に制動灯と共に点灯されることにより、後続車ドライバに注意を喚起させ、追突事故等を未然に防止するものである。
【０００３】
複数個のＬＥＤを用いた車両用灯具において、半田付け工程が不要で、部品点数の削減、信頼性の向上、製造コストの低減を図ることを可能とする技術思想が提案されてきた、この車両用灯具によれば、複数個の圧入係止部を有する複数個の導電性金属片を備え、複数個のＬＥＤの２つのリードをそれぞれ異なる導電性金属片の圧入係止部に圧入係止させることによりＬＥＤを前記導電性金属片によって電気的に接続するようにした（特許文献１参照）。
【特許文献１】特開平１０−１８８６１４号公報
【発明の開示】
【発明が解決しようとする課題】
【０００４】
図６は従来の圧接端子にＬＥＤのリード線を圧接する際の問題点を説明するための図である。図６において、電子素子であるＬＥＤ３の底面３ａには、一対のリード線３１を植設しており、リード線３１の各々は、導電性の金属によって正四角柱状に形成しており、その一辺が幅Ｗ１となっている。そして、これらのリード線３１に対応するように圧着端子４０が、例えばコネクタ、バスバ等の固定部材に形成されている。そして、圧着端子４０は、傾斜部４２が互いに向かい合うようにして２つの圧接刃４１が平行に並べられており、これらの圧接刃４１によって圧接端子４０の中心部分に、リード線３１を導き入れるためのＵ字形状の圧接スリット４３が形成されている。この圧接スリット４３は、リード線３１のリード辺長Ｗ１よりも狭いスリット幅Ｗ２となるように形成されている。
【０００５】
圧接端子４０にＬＥＤ３を取り付ける場合、圧接端子４０の傾斜部４２からリード線３１を挿入し始め、リード線３１が圧接スリット４３に到達すると、リード線３１が圧入スリット４３に圧入し始められることで、一対の圧接刃４１は開き方向に広げられて、圧接スリット４３は僅かに広がった状態となる。そして、さらにリード線３１が圧入されて予め定められた圧入位置に到達すると圧入が終了する。このようにしてリード線３１を一対の圧接刃４１によって圧接することで、半田付けをすることなく、ＬＥＤ３と圧着端子４０とは電気的に接続される。
【０００６】
しかしながら、圧接端子４０にリード線３１を圧接する際に、リード線３１が略円柱状に形成されていれば、圧入方向が多少ずれても問題はないが、上述したようにリード線３１が正四角柱等の多角柱状に形成されていると、圧入方向のずれによって、リード線３１の側面ではなく相対する２つの角の部分が圧接刃４１に接触した状態で圧接されてしまいう畏れがあり、この状態で圧接されると、圧接刃４１は本来の幅よりも余計に押し広げられてしまい、接触荷重を確保することができないため、リード線３１と圧接端子４０との接続の信頼性を低下させてしまう畏れがあった。
【０００７】
よって本発明は、上述した問題点に鑑み、電子素子のリード線と圧接端子との圧接状態の信頼性を向上させる圧接補助部材を提供することを課題としている。
【課題を解決するための手段】
【０００８】
上記課題を解決するため本発明によりなされた請求項１記載の圧接補助部材は、互いに向かい合うように平行に並べられた一対の圧接刃と、該一対の圧接刃によって形成されて電子素子から延在する導電性金属からなるリード線を導き入れるスリットと、を有する圧接端子に前記リード線を圧接するに当たり、前記一対の圧接刃の各々に圧接される一対の平行に相対する圧接面までのリード辺長が前記スリットのスリット幅よりも大きくなるように多角柱状に形成されている前記リード線の前記スリットへの圧接を補助する圧接補助部材であって、前記スリットから連続する補助スリットを、前記リード辺長よりも大きな幅、かつ、前記圧接刃と該圧接刃に対応する前記圧接面とを圧接する予め定められた前記スリットに対する前記リード線の圧入方向によって前記リード線を前記スリットに進入させるように形成する一対の補助片を有していることを特徴とする。
【０００９】
上記請求項１に記載した本発明の圧接補助部材によれば、電子素子のリード線が予め定められた圧入方向で補助スリットに進入すると、リード線は補助スリットを通過して圧接端子のスリットに進入し、圧入方向への圧入に応じてスリットを押し広げるように所定位置まで圧入されて、リード線が圧接端子に圧接される。また、リード線の圧入方向からずれた向きでリード線が補助スリットに進入すると、リード線の角などが一対の補助片に接触して圧接端子のスリットへの進入が防止される。そして、リード線が圧入方向に矯正されると、リード線は圧接端子のスリットに進入して圧接端子に圧接される。
【００１０】
上記課題を解決するためになされた請求項２記載の発明は、請求項１に記載の圧接補助部材において、前記一対の補助片が、正多角柱状に形成されてる前記リード線の対角幅よりも小さな幅となるように前記補助スリットを形成するようにしたことを特徴とする。
【００１１】
上記請求項２に記載した本発明の圧接補助部材によれば、予め定められた圧入方向とリード線の幅方向の断面における対角線が垂直に交わるなどのように、リード線の圧入方向がずれていると、リード線の対角幅上の角が一対の補助片に当接して補助スリットへの進入が防止される。
【００１２】
上記課題を解決するためになされた請求項３記載の発明は、請求項１又は２に記載の圧接補助部材において、前記補助片が、前記圧接端子のスリットと前記補助スリットが連続するように前記圧接端子及び前記電子素子を収容するケース部材に形成されていることを特徴とする。
【００１３】
上記請求項３に記載した本発明の圧接補助部材によれば、ケース部材に形成された補助片は、ケース部材に組み付けられる圧接端子のスリットに連続するように補助スリットを形成する。
【発明の効果】
【００１４】
以上説明したように請求項１に記載した本発明の圧接補助部材によれば、圧接端子のスリットから連続した補助スリットを形成する補助片を設け、該補助スリットによって予め定められた圧接端子に対するリード線の圧入方向となるようにリード線を圧接端子のスリットに進入させるようにしたことから、その圧入方向からずれた状態でリード線が圧接されることを防止することができるため、圧接端子と電子素子のリード線との圧接状態の信頼性を向上させることができる。また、リード線の角が圧入に応じて圧接刃にぶつかることもないので、圧接刃の変形を防止して保護することができる。さらに、圧入方向からずれた向きのリード線が圧接端子に圧接されることもないので、そのような製品が流出するのを確実に防止することができる。
【００１５】
請求項２に記載の発明によれば、請求項１に記載の発明の効果に加え、一対の補助片によってリード線の対角幅よりも小さな幅となるように補助スリットを形成するようにしたことから、予め定められた圧入方向からずれた状態で補助スリットにリード線を進入させると、リード線の対角が補助片に当接して補助スリットへの進入を防止することができるため、圧入方向がずれた状態のリード線が圧接端子のスリットに進入することを防止して圧接刃の変形を確実に防止することができる。
【００１６】
請求項３に記載の発明によれば、請求項１又は２に記載の発明の効果に加え、ケース部材に形成された補助片が、ケース部材に組み付けられる圧接端子のスリットに連続するように補助スリットを形成するようにしたことから、圧接端子の構成を複雑化することなく、既存の圧接端子をそのまま用いても、圧入方向がずれた状態でリード線が圧接端子に圧接されることを確実に防止することができる。
【発明を実施するための最良の形態】
【００１７】
以下、本発明に係る圧接補助部材を有する照明ユニットの一実施の形態を、図１〜図５の図面を参照して説明する。なお、従来の技術のところで説明したものと同一あるいは相当する部分には同一符号を付してその詳細な説明は省略する。
【００１８】
図１は本発明の圧接補助部材の基本構成における（ａ）が圧入可能、（ｂ）が圧入不可能な場合の構成図であり、図２は図１の圧接補助部材を有する照明ユニットの外観を示し、（ａ）が上面、（ｂ）が下面からの斜視図であり、図３は図２中のケースなしの収容物を示し、（ａ）が上面、（ｂ）が下面からの斜視図であり、図４は図２中のケースを外した時のＬＥＤ部分の拡大図であり、図５は本発明の圧接補助部材の動作を説明するための（ａ）がリード線の接触状態、（ｂ）がリード線の進入状態、（ｃ）がリード線の圧接状態を示す図である。
【００１９】
本発明に係る圧接補助部材５０は、図１に示すように、互いに向かい合うように平行に並べられた一対の圧接刃４１と、該一対の圧接刃４１によって形成されてＬＥＤ（電子素子）３から延在する導電性金属からなるリード線３１を導き入れるスリット４３と、を有する圧接端子４０に、前記リード線３１を圧接するに当たり、前記一対の圧接刃４１の各々に圧接される一対の圧接面３１ａまでのリード辺長Ｗ１が前記スリット４３のスリット幅Ｗ２よりも大きくなるように多角柱状に形成されている前記リード線３１の前記スリット４３への圧接を補助する。
【００２０】
この圧接補助部材５０は、前記スリット４３から連続する補助スリット５２を、前記リード辺長Ｗ１よりも大きな幅、かつ、前記圧接刃４１と該圧接刃４１に対応する前記圧接面３１ａとを圧接する予め定められた前記スリット４３に対する前記リード線３１の圧入方向Ｘによって前記リード線３１を前記スリット４３に進入させるように形成する一対の補助片５１を有している。
【００２１】
また、圧接補助部材５０において、前記圧入方向Ｘからずれた向きで前記補助片５１に接した前記リード線３１が、前記圧入方向Ｘとなるように回転されたときに、前記補助スリット５２に前記リード線３１が圧入されるように、前記補助片５１によって前記補助スリット５２を形成している。
【００２２】
上述した圧接補助部材５０を有する照明ユニット１は、図２〜図４に示すように、樹脂部材等からなる略箱状に形成されたケース２の内部に、上述した圧接補助部材５０を収容している。このケース２は、ハウジング２ａをカバー２ｂ，ｃ，ｄで覆う構成となっている。そして、ＬＥＤ３を配置する部分が突出部２ｅとなっており、この突出部２ｅはＬＥＤ３が発した光をケース２の外部に出射する構成となっている。
【００２３】
カバー２ｄは、ハウジング２ａに対して着脱自在に構成しており、突出部２ｅの一部を有している。そして、図４に示すように、カバー２ｄが取り外された状態では、ＬＥＤ３の圧着若しくは取り外し作業が可能な構造となっており、ＬＥＤ３が後述する圧接端子４０に圧接されると、カバー２ｄによってＬＥＤ３は覆われてケース２内に収容される。
【００２４】
また、ハウジング２ａの内部には、図３に示すように、アース用と電力供給用の２つのバスバ４を設けており、バスバ４の一端側の各々には、ハウジング２ａを貫通する２本の電線５と電気的に接続する端子４ａを形成している。また、バスバ４には、抵抗６とツェナダイオード（保護回路用）７とが電気的に接続されている。
【００２５】
バスバ４の他端側には、ＬＥＤ３が圧接されて電気的に接続される上述した圧接端子４０を形成している。そして、圧着端子４０にＬＥＤ３が圧接されて電気的に接続されることで、ＬＥＤ３に電線５からバスバ４、圧着端子４０を順次介して電力が供給されてＬＥＤ３は点灯する。
【００２６】
また、本最良の形態では、圧接補助部材５０の補助片５１は、図４に示すように、ハウジング２ａから延在させており、圧接端子４０を覆うように樹脂等によって形成されている。そして、一対の補助片５１によって形成される補助スリット５２は、圧接端子４０のスリット４３と連続するようハウジング２ａに形成されている、このように補助片５１を、前記圧接端子４０のスリット４３と前記補助スリット５２が連続するようにＬＥＤ３を収容するケース２のハウジング２ａに形成している。
【００２７】
なお、本最良の形態では、３つの補助片５１によって２つの補助スリット５２を形成する場合について説明するが、本発明はこれに限定するものではなく、４つの補助片５１によって２つの補助スリット５２を形成するなど補助スリット５２の間隔、本数等に応じて種々異なる構成とすることができる。
【００２８】
圧接補助部材５０前記一対の補助片５１が、正多角柱状に形成されてる前記リード線３１の対角幅Ｄよりも小さな幅となるように前記補助スリット５２を形成するようにした。詳細には、補助スリット５２の補助スリット幅Ｗ３が、スリット４３のスリット幅Ｗ２よりも大きなリード辺長Ｗ１よりも大きな幅となっている。そして、本最良の形態では、リード線３１が正四角柱であることから、その底面における対角幅（対角線）Ｄよりも小さくなるように、補助スリット５２の補助スリット幅Ｗ３を設定することで、リード線３１が圧入方向Ｘで補助スリット５２に向かっていない、つまり、リード線３１が圧入方向Ｘからずれた向きでスリット４３に圧入しようとすると、リード線３１の底面における対角線上の対角が補助片５１に引っかかり、補助スリット５２に対する進入が防止される。よって、圧入方向Ｘからずれた向きによるリード線３１のスリット４３への進入を防止することができる。
【００２９】
また、補助スリット５２側の補助片５１の上端部５３を、Ｒ形状として形成している。このような形状とすることで、圧入方向Ｘからずれた向きＸ’でリード線３１が補助スリット５２に接したときに、その圧入方向Ｘとなるように回転させ易くなっている。なお、この上端部５３は、傾斜面とするなど種々異なる形状とすることができる。
【００３０】
次に、上述した構成の照明ユニット１における圧接補助部材５０を用いた場合のリード線３１と圧接端子４０との圧接に関する動作（作用）の一例を、図１〜図５の図面を参照して以下に説明する。
【００３１】
ハウジング２ａに形成された３つの補助片５１によって一対の補助スリット５２が形成されており、この補助スリット５２にスリット４３が連続するように圧接端子４０がハウジング２ａに取り付けられる。そして、ＬＥＤ３のリード線３１が予め定められた圧入方向Ｘで補助スリット５２に進入すると、リード線３１は補助スリット５２を通過して圧接端子４０のスリット４３に到達し、圧入方向Ｘへの圧入に応じてスリット４３を押し広げるように所定位置まで圧入されて、リード線３１が圧接端子４０に圧接される。
【００３２】
また、図５（ａ）に示すように、圧入方向Ｘからずれた向きＸ’で補助スリット５２に進入させると、一方側のリード線３１Ａが補助スリット５２に当接してその進入が防止される。そして、リード線３１Ａのずれた向きＸ’を圧入方向Ｘに矯正するためにＬＥＤ３が図５（ａ）中の矢印Ｒ方向に回転されることで、リード線３１Ａ，Ｂの圧入方向Ｘのずれが解消された状態で補助片５１の上端部５３の近傍にリード線３１Ａ，Ｂが配置される。そして、図５（ｂ）に示すように、圧入方向Ｘにリード線３１Ａ，Ｂが補助スリット５２に進入され、この補助スリット５２を通過して圧接端子４０のスリット４３に到達し、圧入方向Ｘへの圧入に応じてスリット４３を押し広げるように所定位置まで圧入されて、リード線３０Ａ，Ｂが圧接端子３０に圧接される。
【００３３】
以上説明したように本発明の圧接補助部材５０によれば、圧接端子４０のスリット４３から連続した補助スリット５２を形成する補助片５１を設け、該補助スリット５１によって予め定められた圧接端子４０に対するリード線３１の圧入方向Ｘとなるようにリード線３１を圧接端子４０のスリット４３に進入させるようにしたことから、その圧入方向Ｘからずれた状態でリード線３１が圧接されることを防止することができるため、圧接端子４０とＬＥＤ３のリード線３１との圧接状態の信頼性を向上させることができる。また、リード線３１の角が圧入に応じて圧接刃４１にぶつかることもないので、圧接刃４１の変形を防止して保護することができる。さらに、圧入方向Ｘからずれた向きのリード線３１が圧接端子４０に圧接されることもないので、そのような製品が流出するのを確実に防止することができる。
【００３４】
また、一対の補助片５１によってリード線３１の対角幅Ｄよりも小さな補助スリット幅Ｗ３となるように補助スリット５１を形成するようにしたことから、予め定められた圧入方向Ｘからずれた状態で補助スリット５２にリード線３１を進入させると、リード線３１の対角が補助片５１に当接して補助スリット５２への進入を防止することができるため、圧入方向Ｘがずれた状態のリード線３１が圧接端子４０のスリット４３に進入することを防止して圧接刃４１の変形を確実に防止することができる。
【００３５】
さらに、ケース２のハウジング（ケース部材）２ａに形成された補助片５１が、ハウジング２ａに組み付けられる圧接端子４０のスリット４３に連続するように補助スリット５３を形成するようにしたことから、圧接端子４０の構成を複雑化することなく、既存の圧接端子４０をそのまま用いても、圧入方向Ｘがずれた状態でリード線３１が圧接端子４０に圧接されることを確実に防止することができる。
【００３６】
なお、上述した本最良の形態では、本発明の圧接補助部材５０をケース２のハウジング２ａに形成する場合について説明したが、本発明はこれに限定するものではなく、例えば、圧接補助部材５０を圧接端子４０に形成して圧接刃４１から補助片５１を延在させる、ケース２のカバー２ｂに圧接補助部材５０を形成するなど種々異なる形態とすることができる。
【００３７】
また、本発明の圧接補助部材５０を照明ユニット１に適用する場合について説明したが、電子素子を圧接端子４０に圧接する構成の機器であれば、圧接補助部材５０を好適に用いることができる。そして、電子素子のリード線３１の数に応じて補助スリット５３を補助片５１によって形成するようにすれば、様々な電子機器に本発明を適用することができる。
【図面の簡単な説明】
【００３８】
【図１】本発明の圧接補助部材の基本構成における（ａ）が圧入可能、（ｂ）が圧入不可能な場合の構成図である。
【図２】図１の圧接補助部材を有する照明ユニットの外観を示し、（ａ）が上面、（ｂ）が下面からの斜視図である。
【図３】図２中のケースなしの収容物を示し、（ａ）が上面、（ｂ）が下面からの斜視図である。
【図４】図２中のケースを外した時のＬＥＤ部分の拡大図である。
【図５】本発明の圧接補助部材の動作を説明するための（ａ）がリード線の接触状態、（ｂ）がリード線の進入状態、（ｃ）がリード線の圧接状態を示す図である。
【図６】従来の圧接端子にＬＥＤのリード線を圧接する際の問題点を説明するための図である。
【符号の説明】
【００３９】
１    照明ユニット
３    ＬＥＤ（電子素子）
３１    リード線
４０    圧接端子
４１    圧接刃
４３    スリット
５０    圧接補助部材
５１    補助片
５３    補助スリット
【図１】
2006185693.tif 000003
【図２】
2006185693.tif 000004
【図３】
2006185693.tif 000005
【図４】
2006185693.tif 000006
【図５】
2006185693.tif 000007
【図６】
2006185693.tif 000008